(57)【要約】      （修正有）【課題】装着者が快適にマスクを装着することを可能とするマスク用インナーフレームを提供する。【解決手段】マスクの背面側と人の顔面との間に介在されるマスク用インナーフレーム１は、少なくとも人の鼻及び唇を囲む状態で顔面と当接する、所定幅を有する枠部１０と、枠部の内径側に連接され、外鼻孔部及び唇の起伏に比して嵩高となる、正面側に凸状の形状を有する帯状のアーム１１１、１１２と、帯状のアームを除く部位の開口部１１０ａ〜１１０ｄと、を有するドーム部１１とを備え、枠部の所定幅の部位の左右側に上下に延びる側部スリット２００ａ、２００ｂ及び下部側に左右に延びる下部スリット２００ｃの少なくとも一方のスリットを有する。【選択図】図２
0003229909.tif 000002
【実用新案登録請求の範囲】
【請求項１】
マスクの背面側と人の顔面との間に介在されるマスク用インナーフレームにおいて、
少なくとも人の鼻及び唇を囲む状態で顔面と当接する、所定幅を有する枠部と、
前記枠部の内径側に連接され、外鼻孔部及び唇の起伏に比して嵩高となる、正面側に凸状の形状を有する帯状のアームと、前記帯状のアームを除く部位の開口部と、を有するドーム部と、
を備え、
前記枠部の前記所定幅の部位の左右側に上下に延びる側部スリット及び下部側に左右に延びる下部スリットの少なくとも一方のスリットを有する、
マスク用インナーフレーム。
【請求項２】
前記側部スリット及び前記下部スリットを有する、
請求項１に記載のマスク用インナーフレーム。
【請求項３】
複数の前記アームが凸状の頂部で交差するように形成され、且つ、前記頂部で一体化されると共に、前記頂部の幅は前記帯状の幅に比して幅広である、
請求項１又は２に記載のマスク用インナーフレーム。
【請求項４】
前記枠部の左右の側部に、前記マスクの生地の折り込み部と係合する係合部を備える、
請求項１から３のいずれかに記載のマスク用インナーフレーム。
【請求項５】
前記枠部及び前記ドーム部は、弾性体である、
請求項１から４のいずれかに記載のマスク用インナーフレーム。
【考案の詳細な説明】
【技術分野】
【０００１】
この考案は、マスク用インナーフレームに関する。
【背景技術】
【０００２】
従来、マスク装着時に、マスクが装着者へ不快感を与える場合がある。例えば、マスクを装着しながら会話をしたときに、口の動きに応じてマスクが当初の装着位置からずれる場合である。この場合、マスクの装着者は、マスクのずれが発生する毎に、マスクの位置を修正する必要がある。このずれを修正する手間により、装着者は不快さを感じることがある。
【０００３】
そこで、特許文献１では、マスクと装着者の顔との間に挟み込む突出型マスクインナーを提案している。突出型マスクインナーは、椀状シートを主体としたもので、マスクと顔面との間に挟み込んで使用される。この場合、マスクと顔面とが接触せず、且つ、マスクと顔面との間に空間が形成される。これにより、装着者の会話時に、マスクが当初の装着位置からずれることが抑制される。
【先行技術文献】
【特許文献】
【０００４】
【特許文献１】特開２０００−２８８１０９
【考案の概要】
【考案が解決しようとする課題】
【０００５】
しかしながら、顔とマスクとの間に特許文献１の突出型マスクインナーを重ねて配置したとき、突出型マスクインナーが、シートを主体とするものであることから、鼻と外気との間で気体の流れが遮られて、マスクの通気性が低下する可能性がある。このとき、装着者は呼吸をしづらくなったり、マスク内が蒸れやすくなったり等の弊害が生じる虞がある。結果、装着者に対して不快感を与えてしまう可能性がある。
【０００６】
この考案は、装着者が快適にマスクを装着することを可能とするマスク用インナーフレームを提供することを目的とする。
【課題を解決するための手段】
【０００７】
この考案に係るマスクの背面側と人の顔面との間に介在されるマスク用インナーフレームは、少なくとも人の鼻及び唇を囲む状態で顔面と当接する、所定幅を有する枠部と、枠部の内径側に連接され、外鼻孔部及び唇の起伏に比して嵩高となる、正面側に凸状の形状を有する帯状のアームと、帯状のアームを除く部位の開口部と、を有するドーム部とを備え、枠部の所定幅の部位の左右側に上下に延びる側部スリット及び下部側に左右に延びる下部スリットの少なくとも一方のスリットを有する。
【０００８】
この構成によれば、マスク用インナーフレームは、空気の通り道であるマスクの縁の方向へ向くように形成された側部スリット及び下部スリットの少なくとも一方を備える。この場合、装着者が呼吸をした時に、気体が側部スリット又は下部スリットを介して、マスクの縁の方向に流れる。従って、呼吸時に気体がマスク外に流出しやすく、且つ、気体がマスク内に流入しやすい。結果、装着者は、快適にマスクを装着可能になる。
【０００９】
また、マスク用インナーフレームは、側部スリット及び下部スリットを有することが好ましい。
【００１０】
この構成によれば、マスク用インナーフレームは、空気の通り道であるマスクの縁の部分に向くように形成される側部スリット及び下部スリットを共に備える。この場合、装着者が呼吸をした時に、気体が側部スリット及び下部スリットを介して、マスクの縁の方向に流れる。従って、呼吸時に気体がマスク外にさらに流出しやすく、且つ、外気がマスク内にさらに流入しやすい。結果、装着者は、さらに快適にマスクを装着可能になる。
【００１１】
また、マスク用インナーフレームは、複数のアームが凸状の頂部で交差するように形成され、且つ、頂部で一体化されると共に、頂部の幅は帯状の幅に比して幅広である。
【００１２】
幅が一定のアームで頂部を形成した場合、頂部における交差の角に応力が集中しやすい。従って、アームが交差した箇所に応力が集中し、アームの変形や破断を引き起こす可能性がある。しかし、この構成によれば、アームが交差する頂部の幅が広いため、アームの頂部の強度が向上する。従って、アームの変形や破断を引き起こす可能性が低減し、長期間に亘ってマスク用インナーフレームを使用することが可能となる。結果、装着者は、さらに快適にマスクを装着可能になる。
【００１３】
また、マスク用インナーフレームは、枠部の左右の側部に、マスクの生地の折り込み部と係合する係合部を備える。
【００１４】
一般的に、マスク装着者が、会話時に口を動かした場合に、口の動きに応じてマスクの位置が当初の位置からずれ、装着者に不快感を与えることがある。しかし、この構成によれば、マスクとマスク用インナーフレームとが固定されやすい。従って、会話時に装着者が口を動かした場合でも、口の動きに応じてマスクの位置が当初の位置からずれる可能性が低減する。結果、装着者がさらに快適にマスクを装着可能になる。
【００１５】
また、枠部及びドーム部は、弾性体である。
【００１６】
この構成によれば、マスク用インナーフレームは折れることなく容易に撓む。従って、装着者のマスク装着時に、装着者の顔面の形状にフィットするようにインナーフレームが変形する。結果、装着者がさらに快適にマスクを装着可能になる。
【考案の効果】
【００１７】
この考案によれば、装着者が快適にマスクを装着することを可能とするマスク用フレームを提供できる。
【図面の簡単な説明】
【００１８】
【図１】本考案に係るマスク用インナーフレームの使用状態を示す図である。
【図２】本考案に係るマスク用インナーフレームの外観斜視図である。
【図３】本考案に係るマスク用インナーフレームの正面図である。
【図４】本考案に係るマスク用インナーフレームの平面図である。
【図５】本考案に係るマスク用インナーフレームの底面図である。
【図６】本考案に係るマスク用インナーフレームの右側面図である。
【考案を実施するための形態】
【００１９】
（第１実施形態）
以下、第１実施形態に係るマスク用インナーフレーム１について図を参照して具体的に説明する。図１は、本考案に係るマスク用インナーフレーム１を例えば衛生用のマスク２０に使用した場合の使用状態を示す図であり、且つ、マスク用インナーフレーム１の裏面側から見た図である。図２は、本考案に係るマスク用インナーフレーム１の外観斜視図である。図３は、本考案に係るマスク用インナーフレーム１の正面図である。図４は、本考案に係るマスク用インナーフレーム１の平面図である。図５は、本考案に係るマスク用インナーフレーム１の底面図である。図６は、本考案に係るマスク用インナーフレーム１の、右側面図である。
【００２０】
図１に示すように、マスク用インナーフレーム１は、マスク２０の内側（装着者の顔と接触する側）に重ねられ、この状態でゴム紐２１を耳に掛けてマスク２０が装着される。このとき、後述するようなマスク用インナーフレーム１の形状により、装着者の顔と、マスク２０との間に空間（隙間）が形成される。これにより、マスク２０が装着者の口（唇）と接触しなくなる。以下、マスク用インナーフレーム１の構造について図を用いて詳述する。
【００２１】
まず、マスク用インナーフレーム１は、装着時に、装着者の鼻の周りの一部、頬の一部及び口の周りの一部に沿って（囲むように）装着者の顔に接触する構造を有する。マスク用インナーフレーム１は、好ましくは、左右対称である。具体的には、図３に示すように、マスク用インナーフレーム１において、装着者の鼻の周りの一部に接する面から装着者の口の周りの一部に接する面に向かう方向へ延びる直線軸に定義できる左右対称軸Ｏ−Ｏ´を中心に、左右対称となる。マスク用インナーフレーム１は、弾性体（例えば、ポリエチレン等の樹脂素材である）により構成される。これにより、マスク用インナーフレーム１の撓みを利用して装着者の顔面形状の個人差を吸収した装着が可能である。従って、マスク用インナーフレーム１は、多くの装着者の顔にフィットする。
【００２２】
以下、本実施形態において、正面とは、マスク２０の内面と接する側の面、裏面とは、顔と接する側の面をいう。
【００２３】
図２及び図３に示すように、マスク用インナーフレーム１は、枠部１０、ドーム部１１及び必要に応じて係合部１２を備える。
【００２４】
図２及び図３に示すように、マスク用インナーフレーム１は、正面視で略楕円形状を有し、外枠となる枠部１０と、枠部１０の内径側のドーム部１１と、枠部１０の左右両側の適所に形成された係合部１２とを備える。すわなち、枠部１０は、装着者の鼻及び口のほぼ全体を覆う楕円形状の枠である。枠部１０は、ここでは、正面視で卵型の輪郭を有する。また、枠部１０の上部１０１は、鼻根乃至鼻筋の起伏に沿うように裏面が多少の凹凸形状を有する（図４及び図５参照）。さらに、枠部１０の下部１０２は、顎の高さに沿うように形成され、枠部１０の側部１０３は、頬の高さに沿うように形成されている。これにより、枠部１０は装着者の顔に可及的にフィットする。結果、マスク用インナーフレーム１は、装着者の顔からずれにくくなる。
【００２５】
図３、図４、図５及び図６に示すように、ドーム部１１は、ドーム形の構造を有する。具体的には、ドーム部１１は、枠部１０に対して、正面方向へ向かって凸状となるように形成されるアーチ形状のアーム１１１及び１１２を有する。図３に示すように、縦へ帯状に延びるアーム１１１及び横へ帯状に延びるアーム１１２は、枠部１０の上下左右の部位間に掛け渡され、それらの頂部１１Ａが交点となるように一体形成されている。帯状のアーム１１１及び１１２の間には、上下左右にそれぞれ仕切られた、４つの開口１１０ａ、１１０ｂ、１１０ｃ及び１１０ｄが形成される。アーム１１１及び１１２と、顔面との間には数ｃｍ、例えば２ｃｍ程度の隙間が形成される（嵩高に形成される）。従って、ドーム部１１と、装着者の顔とは、鼻筋部分の一部を除いて接触せず、さらに、ドーム部１１は、装着者の鼻及び唇部分を覆う。開口１１０ａから１１０ｄにより、マスク用インナーフレーム１は、通気性が高くなる。従って、マスク用インナーフレーム１を介してマスク２０を装着した場合でも、装着者へ呼吸のし辛さを感じさせることが抑制される。なお、本実施形態では、ドーム部１１は、帯状のアーム１１１及び１１２を残して、ドーム部１１を切り欠くことにより、開口１１０ａから１１０ｄが形成されているが、好ましくは射出成型により一度で作製する。
【００２６】
マスク用インナーフレーム１には、枠部１０の一部にスリット２００が形成されている。スリット２００は、右スリット２００ａ、左スリット２００ｂ及び下スリット２００ｃを含む。右スリット２００ａは、枠部１０の右側部で上下方向に長尺に延びる切り欠きである。左スリット２００ｂは、枠部１０の左側部で上下方向に長尺に延びる切り欠きである。下スリット２００ｃは、枠部１０の下部１０２で左右方向に長尺に延びる切り欠きである。これらの各スリット２００ａ、２００ｂ、２００ｃは、枠部１０の所定幅の部分に長尺形状に形成することで、可及的に隙間空間を広くしている。また、各スリット２００ａ、２００ｂ、２００ｃは、１つの長尺形状でなく、複数個の開口が並ぶようにして全体として長尺とみなすように形成してもよい。
【００２７】
右スリット２００ａ、左スリット２００ｂ及び下スリット２００ｃにより、マスク用インナーフレーム１の通気性が向上する。以下、本考案に係るマスク用インナーフレーム１と、右スリット２００ａ、左スリット２００ｂ及び下スリット２００ｃを備えていないマスク用インナーフレーム（以下、比較例と称す）とを比較して説明する。比較例のマスク用インナーフレームの場合、呼吸時に吐いた息は、開口を通過する。しかし、開口を通過した息は、マスクの中央付近で外方に流動する。この場合、息の一部はマスクから外方へ排出されるが、息の残りの一部はマスクにより阻まれる。従って、開口を通過した息の一部は、マスクに阻まれてマスクの外に排出されず、こもる可能性がある。
【００２８】
一方、本考案に係るマスク用インナーフレーム１の場合、呼吸時に吐いた息は、開口１１０ａから１１０ｄ及びスリット２００（右スリット２００ａ、左スリット２００ｂ及び下スリット２００ｃ）を通過する。右スリット２００ａを通過した息は、裏面方向から見て右方向に向かって流動する。この場合、息は、マスクの右端と装着者の顔との間に形成された微小な隙間から、マスクの外へ排出される。同様にして、左スリット２００ｂを通過した息は、裏面方向から見て、マスクの左端と装着者の顔との間に形成された微小な隙間から、マスクの外へ排出される。同様にして、下スリット２００ｃを通過した息は、裏面方向から見て、マスクの下端と装着者の顔との間に形成された微小な隙間から、マスクの外へ排出される。このように、比較例と比較して、マスク用インナーフレーム１は、通気性が向上する。これにより、マスク装着時の蒸れ等の不快感を低減することが可能である。結果、装着者が快適にマスクを装着することを可能とする。
【００２９】
係合部１２は、図１に示すように、マスクへマスク用インナーフレーム１を掛け止めるための部分である。係合部１２は、一対の右係合部１２ａ及び左係合部１２ｂを備える。右係合部１２ａは、裏面方向から見て、枠部１０の外枠の右側からさらに右方向に突出して形成される部分である。右係合部１２ａは、ホルダーを有する。ホルダーは、マスクの折り目の間に挟むことが可能である。これにより、右係合部１２ａが、マスクに固定される。従って、マスク用インナーフレーム１が、マスクから外れたり、位置がずれたりする可能性を低減できる。結果、マスク用インナーフレーム１と、マスクとがずれることなく、装着者に不快感を与える可能性を低減できる。なお、左係合部１２ｂは、枠部１０の外枠の左側から左方向に突出する以外は、右係合部１２ａと同様であるため、説明を省略する。
【００３０】
（その他の形態）
なお、マスク用インナーフレーム１は、左右対称に限定されない。例えば、右スリット２００ａ及び左スリット２００ｂの一方の形状を変えてもよいし、一方がなくてもよい。
【００３１】
なお、アーム１１１及び１１２は、十字形状の他、斜めクロス形状やその他の形状でもよい。このとき、開口１１０ａ、１１０ｂ、１１０ｃ及び１１０ｄは、アーム１１１及び１１２の形状によって、種々の形状、個数が採用可能である。
【００３２】
なお、マスク用インナーフレーム１は、弾性材で構成されていなくてもよい。例えば、マスク用インナーフレーム１は、吸水性のある素材（例えば、厚紙等）で構成されていてもよい。この場合、マスク用インナーフレーム１が、装着者の顔から発せられた汗を吸収する。従って、マスク内の環境を衛生的に保つことが可能である。結果、装着者はさらに快適に感じる。
【００３３】
なお、マスク用インナーフレーム１は、係合部１２を必ずしも備えなくてよい。
【００３４】
なお、マスク用インナーフレーム１の各部を、別の物材を組み合わせて作成してもよいが、樹脂成型部品として作成することが好ましい。
【００３５】
上述の実施形態の説明は、すべての点で例示であって、制限的なものではない。本考案の範囲は、上述の実施形態ではなく、実用新案登録請求の範囲によって示される。さらに、本考案の範囲には、実用新案登録請求の範囲と均等の範囲内での実施形態からの変更が含まれる。
【符号の説明】
【００３６】
１…マスク用インナーフレーム
１０…枠部
１１…ドーム部
１１Ａ…頂部
１１０ａ、１１０ｂ、１１０ｃ、１１０ｄ…開口
１１１、１１２…アーム
２００ａ…右スリット
２００ｂ…左スリット
２００ｃ…下スリット
１２ａ…右係合部
１２ｂ…左係合部
２０…マスク
２１…ゴム紐
Ｏ−Ｏ´…左右対称軸
【図１】
0003229909.tif 000003
【図２】
0003229909.tif 000004
【図３】
0003229909.tif 000005
【図４】
0003229909.tif 000006
【図５】
0003229909.tif 000007
【図６】
0003229909.tif 000008